(57)【要約】【課題】覗き見が困難な携帯端末及び携帯端末の表示制御方法を提供すること。【解決手段】携帯端末１は、モニタ装置１ｈ、ディスプレイパネル１ｇ１、及び、表示フィルタ１ｇ２を備える。携帯端末１は、モニタ装置１ｈによって得られるモニタ画像から人物の顔に対応する顔画像を検出する。携帯端末１は、検出した顔画像に基づいて、表示フィルタ１ｇ２のフィルタリングの機能のオン・オフを制御する。フィルタリング機能がオンされることによって覗き見が防止可能となる。【選択図】図１
2011217146.tif 000002
【特許請求の範囲】
【請求項１】
携帯端末であって、
ディスプレイパネルと該ディスプレイパネルの表示面に設けられており該表示面を覆う表示フィルタとを有する表示装置と、
前記表示装置の設けられている主面に設けられており該主面の前方の風景をモニタするためのモニタ装置と、
前記モニタ装置によって得られるモニタ画像を解析する画像解析手段と、
前記表示フィルタの動作を制御する表示フィルタ制御手段と、
を備え、
前記表示フィルタは、前記ディスプレイパネルの表示をフィルタリングする機能を有しており、
前記画像解析手段は、前記モニタ装置によって得られるモニタ画像から人物の顔に対応する顔画像を検出し、
前記表示フィルタ制御手段は、前記画像解析手段によって検出される顔画像に基づいて、前記表示フィルタの前記機能のオン・オフを制御する、
ことを特徴とする携帯端末。
【請求項２】
前記表示フィルタによるフィルタリングの対象となる内容を前記ディスプレイパネルに表示するフィルタリング対象動作のリストが格納されている記録装置と、
当該携帯端末の動作を指示する動作指示が入力される入力装置と、
前記入力装置に入力された動作指示の対象となる動作が、前記フィルタリング対象動作であるか否か、を判定する動作判定手段と、
を更に備え、
前記画像解析手段は、前記入力装置に入力された動作指示の対象となる動作が前記フィルタリング対象動作である、と前記動作判定手段によって判定された場合に、前記モニタ装置によって得られるモニタ画像から人物の顔に対応する顔画像の検出を行う、ことを特徴とする請求項１に記載の携帯端末。
【請求項３】
前記画像解析手段は、前記モニタ装置によって得られるモニタ画像から複数の人物の顔画像を検出した場合に、この検出した複数の人物の顔画像が当該携帯端末のメモリに予め格納されている顔画像に対応しているか否かを判定し、
前記表示フィルタ制御手段は、前記画像解析手段によって検出された複数の人物の顔画像のうち少なくとも一の顔画像が前記メモリに予め格納されている顔画像に対応していないと前記画像解析手段によって判定された場合に、前記表示フィルタの前記機能をオンにする、ことを特徴とする請求項１又は請求項２に記載の携帯端末。
【請求項４】
フィルタリング対象動作を用いるアプリケーションプログラムが起動されたか否かを判定する起動判定手段と、
前記モニタ装置の動作を制御するモニタ装置制御手段と、
を更に備え、
前記モニタ装置制御手段は、フィルタリング対象動作を用いるアプリケーションプログラムが起動されたと前記起動判定手段によって判定されると、前記モニタ装置を起動する、ことを特徴とする請求項１〜請求項３の何れか一項に記載の携帯端末。
【請求項５】
ディスプレイパネルと該ディスプレイパネルの表示面に設けられており該表示面を覆う表示フィルタとを有する表示装置と、前記表示装置の設けられている主面に設けられており該主面の前方の風景をモニタするためのモニタ装置とを有する携帯端末の表示制御方法であって、
前記モニタ装置によって得られるモニタ画像から人物の顔に対応する顔画像を検出するステップと、
前記ステップにおいて検出された顔画像に基づいて、前記表示フィルタの前記機能のオン・オフを制御するステップと、
を備える、ことを特徴とする携帯端末の表示制御方法。
【発明の詳細な説明】
【技術分野】
【０００１】
本発明は、携帯端末と携帯端末の表示制御方法とに関する。
【背景技術】
【０００２】
電車内等において携帯電話を利用してメールやインターネット閲覧する場合、背後等から携帯電話のディスプレイが覗かれないように、表示画面をフィルタリングする覗き見防止機能が開発されている。特許文献１の携帯端末は、他人に覗き見されては困る部分のみを見え難くすることで表示画面の見易さとプライバシーの保護とを両立させた覗き見防止機能を備え、ディスプレイに情報を表示する際に、表示する情報から特定の情報を検索して、特定の情報が抽出された場合は、抽出された特定の情報の表示属性を視認性が低下するような表示属性に変更して、情報をディスプレイに表示する。
【先行技術文献】
【特許文献】
【０００３】
【特許文献１】特開２００９−２８８８５６号公報
【発明の概要】
【発明が解決しようとする課題】
【０００４】
しかし、上記のような従来の覗き見防止機能を有効にするためには、ユーザによる指示入力が必要となる。このため、表示画面が後ろから実際に覗かれている場合であっても、覗かれていることにユーザが気付かない場合には、覗き見防止機能は有効にされない。よって、上記従来技術では、ユーザのプライバシーを十分に守ることは困難である。そこで、本発明は、上記の事項を鑑みてなされたものであり、覗き見が困難な携帯端末及び携帯端末の表示制御方法を提供することを目的としている。
【課題を解決するための手段】
【０００５】
本発明に係る携帯端末は、ディスプレイパネルと該ディスプレイパネルの表示面に設けられており該表示面を覆う表示フィルタとを有する表示装置と、上記表示装置の設けられている主面に設けられており該主面の前方の風景をモニタするためのモニタ装置と、上記モニタ装置によって得られるモニタ画像を解析する画像解析手段と、上記表示フィルタの動作を制御する表示フィルタ制御手段と、を備え、上記表示フィルタは、上記ディスプレイパネルの表示をフィルタリングする機能を有しており、上記画像解析手段は、上記モニタ装置によって得られるモニタ画像から人物の顔に対応する顔画像を検出し、上記表示フィルタ制御手段は、上記画像解析手段によって検出される顔画像に基づいて、上記表示フィルタの上記機能のオン・オフを制御する。このように、モニタ装置によって得られるモニタ画像から顔画像が検出され、この検出された顔画像を用いて、表示フィルタのフィルタリングの機能のオン・オフが制御されるので、フィルタリングのオン・オフが、ユーザによる指示入力を伴わずに行える。従って、モニタ装置によって得られる顔画像を用いることによって、覗き見されていることにユーザが気付いているか否かにかかわらず、表示フィルタのフィルタリングのオン・オフが可能となる。
【０００６】
本発明に係る携帯端末では、上記表示フィルタによるフィルタリングの対象となる内容を上記ディスプレイパネルに表示するフィルタリング対象動作のリストが格納されている記録装置と、当該携帯端末の動作を指示する動作指示が入力される入力装置と、上記入力装置に入力された動作指示の対象となる動作が、上記フィルタリング対象動作であるか否か、を判定する動作判定手段と、を更に備え、上記画像解析手段は、上記入力装置に入力された動作指示の対象となる動作が上記フィルタリング対象動作である、と上記動作判定手段によって判定された場合に、上記モニタ装置によって得られるモニタ画像から人物の顔に対応する顔画像の検出を行う。このように、入力装置に入力された動作指示が予め設定されているフィルタリング対象動作である場合にのみ、画像解析手段による顔画像の検出が行われる。従って、フィルタリング対象動作ではない動作指示が入力装置に入力された場合には、表示フィルタのフィルタリング機能はオンとされないので、電力消費を低減でき、更に、フィルタリング機能を用いる必要の無い動作の場合にはフィルタリング機能によって携帯端末の画面が見え難くなることを回避できる。
【０００７】
本発明に係る携帯端末では、上記画像解析手段は、上記モニタ装置によって得られるモニタ画像から複数の人物の顔画像を検出した場合に、この検出した複数の人物の顔画像が当該携帯端末のメモリに予め格納されている顔画像に対応しているか否かを判定し、上記表示フィルタ制御手段は、上記画像解析手段によって検出された複数の人物の顔画像のうち少なくとも一の顔画像が上記メモリに予め格納されている顔画像に対応していないと上記画像解析手段によって判定された場合に、上記表示フィルタの上記機能をオンにする。このように、記録装置に予め格納されていない未登録の顔画像がモニタ画像に含まれている場合には、この顔画像の人物によって携帯端末の画面が覗き見されている可能性があるので、表示フィルタのフィルタリング機能がオンされる。従って、モニタ画像に未登録の顔画像が含まれているか否かが判定されるので、携帯端末の画面が覗き見されている可能性のある場合に、表示フィルタのフィルタリング機能を効果的にオン可能となる。
【０００８】
本発明に係る携帯端末では、フィルタリング対象動作を用いるアプリケーションプログラムが起動されたか否かを判定する起動判定手段と、上記モニタ装置の動作を制御するモニタ装置制御手段と、を更に備え、上記モニタ装置制御手段は、フィルタリング対象動作を用いるアプリケーションプログラムが起動されたと上記起動判定手段によって判定されると、上記モニタ装置を起動する。フィルタリング対象動作が用いられるアプリケーションプログラム（メーラ又はブラウザ）が起動された場合にのみ、モニタ装置が起動されるので、フィルタリング対象動作が用いられない他のアプリケーションプログラムが起動されている場合にはモニタ装置は起動されない。従って、モニタ装置の駆動に必要な電力の消費を抑制できる。
【０００９】
本発明に係る携帯端末の表示制御方法は、ディスプレイパネルと該ディスプレイパネルの表示面に設けられており該表示面を覆う表示フィルタとを有する表示装置と、上記表示装置の設けられている主面に設けられており該主面の前方の風景をモニタするためのモニタ装置とを有する携帯端末の表示制御方法であって、上記モニタ装置によって得られるモニタ画像から人物の顔に対応する顔画像を検出するステップと、上記ステップにおいて検出された顔画像に基づいて、上記表示フィルタの上記機能のオン・オフを制御するステップと、を備える。このように、モニタ装置によって得られるモニタ画像から顔画像が検出され、この検出された顔画像を用いて、表示フィルタのフィルタリングの機能のオン・オフが制御されるので、フィルタリングのオン・オフが、ユーザによる指示入力を伴わずに行える。従って、モニタ装置によって得られる顔画像を用いることによって、覗き見されていることにユーザが気付いているか否かにかかわらず、表示フィルタのフィルタリングのオン・オフが可能となる。
【発明の効果】
【００１０】
本発明によれば、覗き見が困難な携帯端末及び携帯端末の表示制御方法を提供できる。
【図面の簡単な説明】
【００１１】
【図１】図１は、実施形態に係る携帯端末の構成を説明するための図である。
【図２】図２は、実施形態に係る携帯端末の構成を説明するための図である。
【図３】図３は、実施形態に係る携帯端末の構成を説明するための図である。
【図４】図４は、実施形態に係る携帯端末のモニタ装置の機能を説明するための図である。
【図５】図５は、実施形態に係る携帯端末の動作を説明するためのフローチャートである。
【発明を実施するための形態】
【００１２】
以下、図面を参照して、本発明に係る好適な実施形態について詳細に説明する。なお、図面の説明において、可能な場合には、同一要素には同一符号を付し、重複する説明を省略する。図１、図２及び図３は、携帯端末１の構成を示す図である。携帯端末１は、携帯型のコンピュータ端末であり、例えば、携帯電話である。なお、本発明に係る携帯端末は、携帯端末１に限らず、携帯型のノートパソコンや、通信機能を有さない携帯型のコンピュータであることもできる。図１は、携帯端末１の概観を示す図であり、図２は、携帯端末１の物理的構成を示す図であり、図３は、携帯端末１の機能的構成を示す図である。
【００１３】
図２を参照すれば、携帯端末１は、物理的には、ＣＰＵ１ａ、ＲＯＭ１ｂ、ＲＡＭ１ｃ、通信装置１ｄ、入力装置１ｅ、記録装置１ｆ、表示装置１ｇ、モニタ装置１ｈ及びバスＢｕｓを有しており、ＣＰＵ１ａは、ＲＯＭ１ｂ及び記録装置１ｆ等の携帯端末１の内蔵メモリに格納されたコンピュータプログラム（例えば、図５のフローチャートに示す処理を行うためのコンピュータプログラム）をＲＡＭ１ｃにロードして実行することによって携帯端末１を統括的に制御する。
【００１４】
通信装置１ｄは、電話通信用のインターフェース及びデータ通信用のインターフェースを有する。入力装置１ｅは、携帯端末１の動作を指示する動作指示を示すコマンドデータを入力するための複数の入力キーを有する。入力装置１ｅを介して入力された動作指示を示すコマンドデータはＣＰＵ１ａに入力される。
【００１５】
記録装置１ｆは、読み出し／書き込みが可能なメモリである。記録装置１ｆは、携帯端末１が実行可能な複数のアプリケーションプログラム、アプリケーションプログラムの実行に必要なデータ、及び、アプリケーションプログラムの実行によって生成された（又は取得された）データ等、を格納することができる。アプリケーションプログラムは、例えば、メーラ、ブラウザ、ゲーム、オーディオ等である。特に、メーラは、電子メールを送受信するためのアプリケーションプログラムであり、ブラウザは、インターネット上のウェブページを閲覧するためのアプリケーションプログラムである。
【００１６】
記録装置１ｆは、フィルタリング対象動作を用いるアプリケーションプログラムのリストデータを格納する。フィルタリング対象動作は、覗き見を防止するための表示フィルタ１ｇ２によるフィルタリングの対象となる内容をディスプレイパネル１ｇ１に表示する動作であり、本実施形態においては、メーラ及びブラウザが該当する。なお、本実施形態においては、メーラ及びブラウザのみがフィルタリング対象動作を用いるアプリケーションプログラムとしているが、これに限らない。フィルタリング対象動作は、覗き見防止の対象となる動作であり、メーラの場合、例えば、メール作成動作、メール編集動作、メール送受信動作、未送信メール閲覧動作、ＳＭＳメール作成動作（ＳＭＳ：Short Message Service）、ＳＭＳメール編集動作、ＳＭＳメール送受信動作、未送信ＳＭＳメール閲覧動作、等であり、ブラウザの場合、例えば、文字入力動作、ウェブページ（例えば、ユーザが事前登録したＵＲＬのウェブページ）の閲覧動作、等である。記録装置１ｆは、上記のような複数のフィルタリング対象動作を示すリストデータを予め格納する。
【００１７】
記録装置１ｆは、携帯端末１のユーザの顔画像（図４に示す顔画像Ｆ１）を格納するが、ユーザによって登録された他の顔画像を格納することができる。実施形態では、記録装置１ｆに格納されている顔画像は、携帯端末１のユーザの顔画像Ｆ１のみであるとする。記録装置１ｆに格納されている顔画像は、後述の画像解析部１ａ５によって行われる処理に用いられる。
【００１８】
表示装置１ｇは、ＣＰＵ１ａから指示される表示データを表示するための装置であり、ディスプレイパネル１ｇ１及び表示フィルタ１ｇ２を有する。ディスプレイパネル１ｇ１は、液晶ディスプレイパネル又は有機ＥＬディスプレイパネル等とすることができる。表示フィルタ１ｇ２は、ディスプレイパネル１ｇ１の表示面３ａに設けられており表示面３ａを覆い（例えば、表示面３ａの全体を覆い）、ディスプレイパネル１ｇ１の表示（表示面３ａからの画像光）をフィルタリングするフィルタリング機能を有する。表示面３ａからの画像光の一部又は全部は、表示フィルタ１ｇ２を透過し、ユーザは、画面３ｂ（表示フィルタ１ｇ２の表面）を介して、表示面３ａに表示される画像を見る。
【００１９】
表示フィルタ１ｇ２は、視野角の調整が可能なフィルタであることができる。このフィルタは、液晶分子を含む。このフィルタは、電圧を印加し液晶分子の配列を変化させることによって（フィルタリング機能がオン）、表示フィルタ１ｇ２を透過する画像光の進行方向を、所望とする方向に、調整できる。例えば、表示フィルタ１ｇ２のフィルタリング機能をオンし、表示フィルタ１ｇ２を透過する画像光の進行方向を、画面３ｂの正面方向に調整することによって、携帯端末１のユーザの周囲（特に背後）に立っている人物によって画面３ｂに映し出される画像を覗き見されにくくすることができる。
【００２０】
モニタ装置１ｈは、表示装置１ｇの設けられている携帯端末１の主面３に設けられており主面３の前方の風景（例えば図４に示す顔Ｈ１及び顔Ｈ２等）をモニタするための装置であり、カメラを有する。このカメラは、比較的に広範囲の風景画像を取得することが可能なレンズ（広角レンズ等と称される場合がある）を有することができる。モニタ装置１ｈによって取得される画像は、例えば図４に示すように、携帯端末１を操作中のユーザ（顔Ｈ１）の背後に他の人物（顔Ｈ２）が立っている場合、ユーザの顔Ｈ１に対応する顔画像Ｆ１と、ユーザの背後に立っている他の人物の顔Ｈ２に対応する顔画像Ｆ２と、を含むモニタ画像１ｈ１である。
【００２１】
また、図３を参照すると、携帯端末１は、機能的には、アプリケーション実行部１ａ１、起動判定部１ａ２（起動判定手段）、モニタ装置制御部１ａ３（モニタ装置制御手段）、動作判定部１ａ４（動作判定手段）、画像解析部１ａ５（画像解析手段）及び表示フィルタ制御部１ａ６（表示フィルタ制御手段）を有する。位置登録部９１ａ、アプリケーション実行部１ａ１、起動判定部１ａ２、モニタ装置制御部１ａ３、動作判定部１ａ４、画像解析部１ａ５及び表示フィルタ制御部１ａ６は、ＣＰＵ１ａが携帯端末１の内蔵メモリ（ＲＯＭ１ｂや記録装置１ｆ等）に格納されたコンピュータプログラム（アプリケーションプログラムを含む）を実行することによって実現される機能である。
【００２２】
ＣＰＵ１ａは、このコンピュータプログラムを実行することによって（アプリケーション実行部１ａ１、起動判定部１ａ２、モニタ装置制御部１ａ３、動作判定部１ａ４、画像解析部１ａ５及び表示フィルタ制御部１ａ６を用いて）、図５のフローチャートに示す処理を順次実行する。このコンピュータプログラムの実行に必要な各種データ、及び、このコンピュータプログラムの実行によって生成される各種データは、携帯端末１の内蔵メモリ（ＲＯＭ１ｂ、ＲＡＭ１ｃ及び記録装置１ｆ）に格納されることができる。
【００２３】
アプリケーション実行部１ａ１は、記録装置１ｆに格納されているアプリケーションプログラムを実行する。起動判定部１ａ２は、フィルタリング対象動作を用いるアプリケーションプログラム（メーラ又はブラウザ）がアプリケーション実行部１ａ１によって起動されたか否かを、記録装置１ｆに格納されているリストデータ（フィルタリング対象動作を用いるアプリケーションプログラムを示すリストデータ）に基づいて、判定する。モニタ装置制御部１ａ３は、モニタ装置１ｈの動作（特に、モニタ装置１ｈの起動・停止）を制御する。モニタ装置制御部１ａ３は、フィルタリング対象動作を用いるアプリケーションプログラムがアプリケーション実行部１ａ１によって起動されたと起動判定部１ａ２によって判定されると、モニタ装置１ｈを起動する。動作判定部１ａ４は、入力装置１ｅに入力された動作指示の対象となる動作がフィルタリング対象動作であるか否か、を判定する。
【００２４】
画像解析部１ａ５は、モニタ装置１ｈによって得られるモニタ画像（例えば、図４に示すモニタ画像１ｈ１）を解析する。画像解析部１ａ５は、モニタ装置１ｈによって得られるモニタ画像から人物の顔に対応する顔画像を検出する。画像解析部１ａ５は、入力装置１ｅに入力された動作指示の対象となる動作がフィルタリング対象動作である、と動作判定部１ａ４によって判定された場合に、モニタ装置１ｈによって得られるモニタ画像から人物の顔に対応する顔画像の検出を行う。画像解析部１ａ５は、例えば、モニタ装置１ｈによって得られるモニタ画像が図４に示すモニタ画像１ｈ１の場合、ユーザの顔画像Ｆ１と、ユーザの背後に立っている他の人物の顔画像Ｆ２とを検出する。画像解析部１ａ５は、モニタ装置１ｈによって得られるモニタ画像から複数の人物の顔画像が含まれている場合に、この検出した複数の人物の顔画像が記録装置１ｆに予め格納されている顔画像に対応しているか否かを判定する。画像解析部１ａ５は、例えば、モニタ装置１ｈによって得られるモニタ画像が図４に示すモニタ画像１ｈ１の場合、ユーザの顔画像Ｆ１と、ユーザの背後に立っている他の人物の顔画像Ｆ２とを検出し、この検出した顔画像Ｆ１及び顔画像Ｆ２が、記録装置１ｆに予め格納されている顔画像に対応しているか否かを判定する。
【００２５】
表示フィルタ制御部１ａ６は、表示フィルタ１ｇ２の動作を制御する。表示フィルタ制御部１ａ６は、画像解析部１ａ５によって検出される顔画像に基づいて、表示フィルタ１ｇ２のフィルタリング機能のオン・オフを制御する。表示フィルタ制御部１ａ６は、画像解析部１ａ５によって検出された一又は複数の人物の顔画像のうち少なくとも一の顔画像が記録装置１ｆに予め格納されている顔画像に対応していないと画像解析部１ａ５によって判定された場合に、表示フィルタ１ｇ２のフィルタリング機能をオンにする。例えば、モニタ装置１ｈによって得られるモニタ画像が図４に示すモニタ画像１ｈ１であって、記録装置１ｆに予め格納されている顔画像が顔画像Ｆ１のみの場合、画像解析部１ａ５によって検出された顔画像Ｆ１及び顔画像Ｆ２のうち顔画像Ｆ２が記録装置１ｆに予め格納されている顔画像に対応していないと画像解析部１ａ５によって判定されると、表示フィルタ制御部１ａ６は、表示フィルタ１ｇ２のフィルタリング機能をオンにする。表示フィルタ１ｇ２のフィルタリング機能がオンされることによって、顔画像Ｆ２に対応する人物による覗き見が防止可能となる。
【００２６】
次に、図５を参照して、携帯端末１の動作を説明する。まず、起動判定部１ａ２は、アプリケーション実行部１ａ１によって、メーラ又はブラウザ（すなわち、フィルタリング対象動作を用いるアプリケーションプログラム）が起動されたか否かを、フィルタリング対象動作を用いるアプリケーションプログラムを示し記録装置１ｆに格納されているリストデータを用いて判定し（ステップＳ１）、起動されていないと判定すると（ステップＳ１；ＮＯ）、起動されるまでこの判定を繰り返す。メーラ又はブラウザが起動されたと起動判定部１ａ２によって判定されると（ステップＳ１；ＹＥＳ）、モニタ装置制御部１ａ３は、モニタ装置１ｈを起動する（ステップＳ２）。ステップＳ２の後、動作判定部１ａ４は、入力装置１ｅを介して入力された動作指示が、フィルタリング対象動作を行うための指示であるか否かを判定する（ステップＳ３）。
【００２７】
入力装置１ｅを介して入力された動作指示がフィルタリング対象動作を行うための指示であると動作判定部１ａ４によって判定されると（ステップＳ３；ＹＥＳ）、画像解析部１ａ５は、モニタ画像１ｈ１から人物の顔に対応する顔画像（例えば顔画像Ｆ１及び顔画像Ｆ２）を検出する（ステップＳ４）。画像解析部１ａ５は、ステップＳ４において検出した顔画像の数を計数し、検出した顔画像の数が複数であるか否かを判定する（ステップＳ５）。
【００２８】
画像解析部１ａ５は、顔画像の数が複数であると判定した場合（ステップＳ５；ＹＥＳ）、ステップＳ４において検出した顔画像（例えば顔画像Ｆ１及び顔画像Ｆ２）のうち記録装置１ｆに格納されていない顔画像が存在するか否かを判定する（ステップＳ６）。具体的には、画像解析部１ａ５は、ステップＳ４において検出した顔画像と記録装置１ｆに予め格納されている顔画像とを比較することによって、ステップＳ４において検出した顔画像に対応する（一致する）顔画像が記録装置１ｆには予め格納されていないか、につき判定する。ステップＳ４において検出した顔画像（顔画像Ｆ１及び顔画像Ｆ２）のうち記録装置１ｆに格納されていない顔画像（例えば顔画像Ｆ２）が存在すると画像解析部１ａ５によって判定されると（ステップＳ６；ＹＥＳ）、表示フィルタ制御部１ａ６は、表示フィルタ１ｇ２のフィルタリング機能をオンにして（ステップＳ７）、ステップＳ３に移行する。表示フィルタ１ｇ２のフィルタリング機能がオンされることによって、例えば顔画像Ｆ２に対応する人物等による覗き見が防止可能となる。
【００２９】
入力装置１ｅを介して入力された動作指示がフィルタリング対象動作を行うための指示ではないと動作判定部１ａ４によって判定されると（ステップＳ３；ＮＯ）、表示フィルタ制御部１ａ６は、表示フィルタ１ｇ２のフィルタリング機能をオフにする（ステップＳ８）。また、ステップＳ４において画像解析部１ａ５によって検出された顔画像の数が複数ではない（すなわち、一つだけである）と画像解析部１ａ５によって判定されると（ステップＳ５；ＮＯ）、表示フィルタ制御部１ａ６は、表示フィルタ１ｇ２のフィルタリング機能をオフにする（ステップＳ８）。また、ステップＳ４において画像解析部１ａ５によって検出された顔画像のうち記録装置１ｆに格納されていない顔画像は存在しない（ステップＳ４において画像解析部１ａ５によって検出された一又は複数の顔画像の全ては記録装置１ｆに格納されている一又は複数の顔画像に対応（一致）する）と画像解析部１ａ５によって判定されると（ステップＳ６；ＮＯ）、表示フィルタ制御部１ａ６は、表示フィルタ１ｇ２のフィルタリング機能をオフにする（ステップＳ８）。
【００３０】
ステップＳ８の後、起動判定部１ａ２は、ステップＳ１において起動したと判定したメーラ又はブラウザがアプリケーション実行部１ａ１によって終了されたか否かを判定する（ステップＳ９）。メーラ又はブラウザが終了されたと起動判定部１ａ２によって判定されると（ステップＳ９；ＹＥＳ）、モニタ装置制御部１ａ３は、モニタ装置１ｈの動作を停止する（ステップＳ１０）。メーラ又はブラウザは終了されていないと起動判定部１ａ２によって判定されると（ステップＳ９；ＮＯ）、ステップＳ３に移行する。
【００３１】
次に、携帯端末１の作用・効果を説明する。携帯端末１は、表示装置１ｇと、モニタ装置１ｈと、画像解析部１ａ５と、表示フィルタ制御部１ａ６とを備える。表示装置１ｇは、ディスプレイパネル１ｇ１と表示フィルタ１ｇ２とを有する。表示フィルタ１ｇ２は、ディスプレイパネル１ｇ１の表示面３ａに設けられており表示面３ａを覆う。モニタ装置１ｈは、表示装置１ｇの設けられている携帯端末１の主面３に設けられており主面３の前方の風景をモニタするための装置である。画像解析部１ａ５は、モニタ装置１ｈによって得られるモニタ画像を解析する。表示フィルタ制御部１ａ６は、表示フィルタ１ｇ２の動作を制御する。表示フィルタ１ｇ２は、ディスプレイパネル１ｇ１の表示をフィルタリングする機能を有している。画像解析部１ａ５は、モニタ装置１ｈによって得られるモニタ画像から人物の顔に対応する顔画像を検出する。表示フィルタ制御部１ａ６は、画像解析部１ａ５によって検出された顔画像に基づいて、表示フィルタ１ｇ２のフィルタリングの機能のオン・オフを制御する。
【００３２】
このように、モニタ装置１ｈによって得られるモニタ画像から顔画像が検出され、この検出された顔画像を用いて、表示フィルタ１ｇ２のフィルタリングの機能のオン・オフが制御されるので、フィルタリングのオン・オフが、ユーザによる指示入力を伴わずに行える。従って、モニタ装置１ｈによって得られる顔画像を用いることによって、覗き見されていることにユーザが気付いているか否かにかかわらず、表示フィルタ１ｇ２のフィルタリングのオン・オフが可能となる。
【００３３】
更に、携帯端末１は、記録装置１ｆと、入力装置１ｅと、動作判定部１ａ４とを更に備える。記録装置１ｆは、表示フィルタ１ｇ２によるフィルタリングの対象となる内容をディスプレイパネル１ｇ１に表示するフィルタリング対象動作のリストを格納する。入力装置１ｅは、携帯端末１の動作を指示する動作指示が入力される。動作判定部１ａ４は、入力装置１ｅに入力された動作指示の対象となる動作が、記録装置１ｆに格納されたリストに含まれているフィルタリング対象動作であるか否か、を判定する。画像解析部１ａ５は、入力装置１ｅに入力された動作指示の対象となる動作がフィルタリング対象動作である、と動作判定部１ａ４によって判定された場合に、モニタ装置１ｈによって得られるモニタ画像から人物の顔に対応する画像の検出を行う。
【００３４】
このように、入力装置１ｅに入力された動作指示が予め設定されているフィルタリング対象動作である場合にのみ、画像解析部１ａ５による顔画像の検出が行われる。従って、フィルタリング対象動作ではない動作指示が入力装置１ｅに入力された場合には、表示フィルタ１ｇ２のフィルタリング機能はオンとされないので、電力消費を低減でき、更に、フィルタリング機能を用いる必要の無い動作の場合にはフィルタリング機能によって画面３ｂが見え難くなることを回避できる。
【００３５】
更に、画像解析部１ａ５は、モニタ装置１ｈによって得られるモニタ画像から複数の人物の顔画像を検出した場合に、この検出した複数の人物の顔画像が携帯端末１の記録装置１ｆに予め格納されている顔画像に対応しているか否かを判定する。表示フィルタ制御部１ａ６は、画像解析部１ａ５によって検出された複数の人物の顔画像のうち少なくとも一の顔画像が記録装置１ｆに予め格納されている顔画像に対応していないと画像解析部１ａ５によって判定された場合に、表示フィルタ１ｇ２のフィルタリング機能をオンにする。
【００３６】
このように、記録装置１ｆに予め格納されていない未登録の顔画像がモニタ画像に含まれている場合には、この顔画像の人物によって携帯端末１の画面３ｂが覗き見されている可能性があるので、表示フィルタ１ｇ２のフィルタリング機能がオンされる。従って、モニタ画像に未登録の顔画像が含まれているか否かが判定されるので、携帯端末１の画面３ｂが覗き見されている可能性のある場合に、表示フィルタ１ｇ２のフィルタリング機能を効果的にオン可能となる。
【００３７】
更に、携帯端末１は、起動判定部１ａ２と、モニタ装置制御部１ａ３とを更に備える。起動判定部１ａ２は、フィルタリング対象動作が用いられるアプリケーションプログラム（メーラ又はブラウザ）が起動されたか否かを判定する。モニタ装置制御部１ａ３は、モニタ装置１ｈの動作を制御する。モニタ装置制御部１ａ３は、フィルタリング対象動作が用いられるアプリケーションプログラムが起動されたと起動判定部１ａ２によって判定されると、モニタ装置１ｈを起動する。
【００３８】
フィルタリング対象動作が用いられるアプリケーションプログラム（メーラ又はブラウザ）が起動された場合にのみ、モニタ装置１ｈが起動されるので、フィルタリング対象動作が用いられない他のアプリケーションプログラムが起動されている場合にはモニタ装置１ｈは起動されない。従って、モニタ装置１ｈの駆動に必要な電力の消費を抑制できる。
【００３９】
なお、本発明は、上記実施形態に限られるものではない。例えば、携帯端末１は、表示フィルタ１ｇ２のオン・オフを調整することによって画面３ｂの表示内容を覗き見されるのを防止するとしたが、これに限らず、携帯端末１は、ディスプレイパネル１ｇ１のコントラストを調整することによって、覗き見を防止することもできる。この場合、モニタ装置制御部１ａ３は、ディスプレイパネル１ｇ１のコントラストを、覗き見の防止が十分可能な予め設定されたレベルに低減することができる。具体的には、モニタ装置制御部１ａ３は、画像解析部１ａ５によって検出された一又は複数の人物の顔画像のうち少なくとも一の顔画像が記録装置１ｆに予め格納されている顔画像に対応していないと画像解析部１ａ５によって判定された場合に、ディスプレイパネル１ｇ１のコントラストを低減する。このように、ディスプレイパネル１ｇ１のコントラストを低減することによって、画面３ｂに映し出される画像を覗き見し難くすることができる。
【符号の説明】
【００４０】
１…携帯端末、３…主面、１ａ…ＣＰＵ、１ｂ…ＲＯＭ、１ｃ…ＲＡＭ、１ｄ…通信装置、１ｅ…入力装置、１ｆ…記録装置、１ｇ…表示装置、１ｈ…モニタ装置、１ｇ１…ディスプレイパネル、１ｇ２…表示フィルタ、Ｂｕｓ…バス、３ｂ…画面、３ａ…表示面、Ｈ１，Ｈ２…顔、１ｈ１…モニタ画像、Ｆ１，Ｆ２…顔画像、１ａ１…アプリケーション実行部、１ａ２…起動判定部、１ａ３…モニタ装置制御部、１ａ４…動作判定部、１ａ５…画像解析部、１ａ６…表示フィルタ制御部。
【図１】
2011217146.tif 000003
【図２】
2011217146.tif 000004
【図３】
2011217146.tif 000005
【図４】
2011217146.tif 000006
【図５】
2011217146.tif 000007